(57)【要約】【課題】雨水を貯水して、浄化して空気調和装置の室外機に掛けることにより、冷却効果を上げるのに、安価で前記室外機の腐食も極力抑えて行なうこと。【解決手段】水流路中にフィルター１６、循環ポンプ１７、インジェクター１８が順に配設され、循環ポンプ１７の駆動により、オゾン発生器１９により発生されたオゾンがインジェクター１８を介して循環経路に導入される。そして、空気調和装置の室外機である熱交換器２５に散水装置２０により散水するのを、検出装置が熱交換器２５の冷媒入口又は冷媒出口の冷媒圧力が所定値以上になったことや、又は熱交換器２５の冷媒入口の冷媒温度若しくは熱交換器２５の温度が所定温度以上になったことを検出するとタイマーによる所定時間だけ開閉弁２４を開くように制御し、圧送ポンプ２３を運転させて散水装置２０により熱交換器２５に散水する。【選択図】図１
2010014346.tif 000002
【特許請求の範囲】
【請求項１】
空気調和装置の室外機又は建築物に散水して冷却する散水冷却装置において、雨水を貯水する貯水タンクと、この貯水タンク内の雨水を循環させながら浄化する浄化装置と、この浄化装置により浄化された雨水を前記室外機又は建築物に散水する散水装置とを設けたことを特徴とする散水冷却装置。
【請求項２】
空気調和装置の室外機又は建築物に散水して冷却する散水冷却装置において、雨水を貯水すると共に一定量以下になると水道水により補給される貯水タンクと、この貯水タンク内の雨水等を循環させながら浄化する浄化装置と、この浄化装置により浄化された雨水等を前記室外機又は建築物に散水する散水装置とを設けたことを特徴とする散水冷却装置。
【請求項３】
空気調和装置の室外機又は建築物に散水して冷却する散水冷却装置において、雨水を貯水すると共に一定量以下になると水道水により補給される貯水タンクと、この貯水タンク内の雨水等を少なくとも１日に１回循環させながら浄化する浄化装置と、この浄化装置により浄化された雨水等を前記室外機又は建築物に散水する散水装置とを設けたことを特徴とする散水冷却装置。
【請求項４】
降雨により前記貯水タンク内に所定量以上雨水等が貯まったことを検出装置が検出すると、前記浄化装置を運転させて、前記貯水タンク内の雨水等を循環させながら浄化させることを特徴とする請求項１乃至請求項３のいずれかに記載の散水冷却装置。
【請求項５】
前記浄化装置は雨水等に溶解した酸化物、塩化物、ミネラルのうちいずれか１以上を除去するフィルターと、雨水等を循環経路内に循環するための循環ポンプと、前記フィルターの下流に配設されオゾンを前記循環経路に導入するためのオゾン発生装置とを備えたことを特徴とする請求項１乃至請求項３のいずれかに記載の散水冷却装置。
【請求項６】
前記室外機の冷媒圧力が所定値以上になったこと、前記室外機の冷媒の温度が所定温度以上になったこと、前記室外機の温度が所定温度以上になったこと又は前記空気調和装置の圧縮機の電動装置に流れる電流が所定値以上になったことを検出する検出装置を設けて、この検出装置の出力に基づいて前記散水装置を運転させることを特徴とする請求項１乃至請求項３のいずれかに記載の散水冷却装置。
【請求項７】
前記貯水タンクを複数として、これらの貯水タンクを底部ではない下部において連通させると共に、前記浄化装置はこれらの貯水タンクに対して並列に接続し、雨水等を循環させることを特徴とする請求項１乃至請求項３のいずれかに記載の散水冷却装置。
【発明の詳細な説明】
【技術分野】
【０００１】
本発明は、空気調和装置の室外機又は建築物に散水して冷却する散水冷却装置に関する。
【背景技術】
【０００２】
この種の散水冷却装置について、空気調和装置の室外機である熱交換器にノズルにより水道水を噴霧して、水の蒸発潜熱を利用してエアコンディショナの冷却効果を上げ、室外機から発生する顕熱を抑制する技術は、非特許文献１などに開示されている。
【非特許文献１】環境省の「平成１７年度環境技術実証モデル事業検討会」の配布資料１−１（ヒートアイランド対策技術における実証試験結果報告書）
【発明の開示】
【発明が解決しようとする課題】
【０００３】
しかし、水道水を利用しているため水道代が掛かり、水道水には次亜塩素酸が含まれており、前記熱交換器の腐食を招くこととなり、好ましくない。
【０００４】
そこで本発明は、前述せる問題点に鑑み、雨水を浄化して空気調和装置の室外機又は建築物に掛けることにより、冷却効果を上げるのに、安価で前記室外機等の腐食も極力抑えて行なうことを目的とする。
【課題を解決するための手段】
【０００５】
このため第１の発明は、空気調和装置の室外機又は建築物に散水して冷却する散水冷却装置において、雨水を貯水する貯水タンクと、この貯水タンク内の雨水を循環させながら浄化する浄化装置と、この浄化装置により浄化された雨水を前記室外機又は建築物に散水する散水装置とを設けたことを特徴とする。
【０００６】
第２の発明は、空気調和装置の室外機又は建築物に散水して冷却する散水冷却装置において、雨水を貯水すると共に一定量以下になると水道水により補給される貯水タンクと、この貯水タンク内の雨水等を循環させながら浄化する浄化装置と、この浄化装置により浄化された雨水等を前記室外機又は建築物に散水する散水装置とを設けたことを特徴とする。
【０００７】
第３の発明は、空気調和装置の室外機又は建築物に散水して冷却する散水冷却装置において、雨水を貯水すると共に一定量以下になると水道水により補給される貯水タンクと、この貯水タンク内の雨水等を少なくとも１日に１回循環させながら浄化する浄化装置と、この浄化装置により浄化された雨水等を前記室外機又は建築物に散水する散水装置とを設けたことを特徴とする。
【０００８】
第４の発明は、第１乃至第３の発明において、降雨により前記貯水タンク内に所定量以上雨水等が貯まったことを検出装置が検出すると、前記浄化装置を運転させて、前記貯水タンク内の雨水等を循環させながら浄化させることを特徴とする。
【０００９】
第５の発明は、第１乃至第３の発明において、前記浄化装置は雨水等に溶解した酸化物、塩化物、ミネラルのうちいずれか１以上を除去するフィルターと、雨水等を循環経路内に循環するための循環ポンプと、前記フィルターの下流に配設されオゾンを前記循環経路に導入するためのオゾン発生装置とを備えたことを特徴とする。
【００１０】
第６の発明は、第１乃至第３の発明において、前記室外機の冷媒圧力が所定値以上になったこと、前記室外機の冷媒の温度が所定温度以上になったこと、前記室外機の温度が所定温度以上になったこと又は前記空気調和装置の圧縮機の電動装置に流れる電流が所定値以上になったことを検出する検出装置を設けて、この検出装置の出力に基づいて前記散水装置を運転させることを特徴とする。
【００１１】
第７の発明は、第１乃至第３の発明において、前記貯水タンクを複数として、これらの貯水タンクを底部ではない下部において連通させると共に、前記浄化装置はこれらの貯水タンクに対して並列に接続し、雨水等を循環させることを特徴とする。
【発明の効果】
【００１２】
本発明によれば、雨水を浄化して空気調和装置の室外機又は建築物に掛けることにより、冷却効果を上げるのに、安価で前記室外機等の腐食も極力抑えて行なうことができる。
【発明を実施するための最良の形態】
【００１３】
以下、例えば店舗に設置される低温ショーケースや店舗内の空調をするための空気調和装置などの空気調和装置の室外機に散水して冷却する散水冷却装置に係る本発明を実施するための最良の形態について、図１乃至図３を参照しながら説明する。
【００１４】
先ず、１は建物に設置される雨樋２からの雨水が集められて連通管３を介して貯水すると共に水道管４、ボールバルブＶＬ１を介して水道水が供給可能な第１貯水タンク、５はこの第１貯水タンク１と互いに底部ではない下部において連通する連通管６を介して第１貯水タンク１から雨水等が供給される第２貯水タンクである。
【００１５】
１０は水浄化装置で、第１貯水タンク１と第２貯水タンク５とを連通する連通管１１から取出し管１２、ボールバルブＶＬ２を介して取出した雨水等を浄化し、この浄化した水を戻り管１３、ボールバルブＶＬ３及び連通管１４を介して第１貯水タンク１及び第２貯水タンク５に戻せるように、水浄化装置１０は第１貯水タンク１及び第２貯水タンク５に対して並列接続され、循環経路が形成される。この水浄化装置１０は、水流路中にフィルター１６、循環ポンプ１７、インジェクター（マイクロバブル発生器など）１８が順に配設され、循環ポンプ１７の駆動により、インジェクター１８と共にオゾン発生装置を構成するオゾン発生器１９において発生されたオゾン（気体）がインジェクター１８を介して循環経路に導入されることとなる。
【００１６】
なお、フィルター１６は粒状活性炭、イオン交換樹脂からなり、吸着と濾過機能を有しており、雨水には空気中の硫黄酸化物（ＳＯＸ）や窒素酸化物（ＮＯＸ）などの種々の酸化物等、塩化物（ＮａＣｌ、ＣａＣｌ２、ＭｇＣｌ２）、ミネラル（Ｃａ、Ｍｇ）等が溶解しているが、このフィルター１６がこれらを除去し、また循環経路に導入されたオゾンは第１及び第２貯水タンク１及び５内の雨水等の中のレジオネラ菌等を死滅（除菌）させて、繁殖しないように抑制する。
【００１７】
そして、循環ポンプ１７の駆動により、オゾン発生器１９で発生させたオゾンをインジェクター１８を介して循環経路に導入しながら、雨水を第１貯水タンク１と第２貯水タンク５との間を浄化しつつ、循環させることを、図示しないタイマーを使用して少なくとも１日に１回行うように、例えばマイクロコンピュータ等で構成された制御装置（図示せず）が制御する。この場合、深夜電力契約時間帯に、この浄化及び循環行なうことにより、より安価に循環動作を実行することができる。
【００１８】
また、第１貯水タンク１には、水位により上下する上下２つのフロート７Ａ、７Ｂを配設し、連通管１１が取付けられる取出し口より上位の所定の第１水位Ｌ１となると下のフロート７Ｂにより第２検出スイッチ８Ｂが作動して、ボールバルブＶＬ１を開いて、水道管４を介して水道水を第１貯水タンク１内に供給させるように制御装置が制御すると共に、この水道水の供給により水位が上昇して第１水位Ｌ１より高い所定の第２水位Ｌ２となると下のフロート７Ｂにより第２検出スイッチ８Ｂが作動して、ボールバルブＶＬ１を閉じて、水道管４を介する水道水の第１貯水タンク１内への供給を停止させるように制御装置が制御する。
【００１９】
従って、第１貯水タンク１及び第２貯水タンク５の貯水量は、常時第１水位Ｌ１より高いレベルに維持され、次回降雨時の際に、できるだけ多くの雨水を貯めるために備えつつ、最低量の貯水量（第１水位Ｌ１以上）を確保している。この最低量の貯水量（第１水位Ｌ１以上）は、第１貯水タンク１内の底部に溜まった塵埃などを第２貯水タンク５との間で循環させない水位の貯水量である。
【００２０】
また、雨が降って、雨樋２からの雨水が集められて連通管３を介して貯水して、第３水位Ｌ３に達すると、上のフロート７Ａにより第１検出スイッチ８Ａが作動するので、制御装置は循環ポンプ１７を駆動させ、オゾン発生器１９で発生させたオゾンをインジェクター１８を介して循環経路に導入しながら、雨水を第１貯水タンク１と第２貯水タンク５との間で浄化しつつ、前述したように少なくとも１日に１回循環させることに加え、更にもう１回循環させるように制御装置が制御する。
【００２１】
そして、インジェクター１８を介して循環経路にオゾンを導入した箇所で、レジオネラ菌等は死滅されるので、この場合の雨水の循環・浄化や前述した１日に１回の循環・浄化は、第１貯水タンク１及び第２貯水タンク５の標準貯水量が各２ｔの計４ｔと想定して、１分間当りの循環量が１０Ｌ（リットル）であるので、例えば４００分間行なわれるように、タイマー（図示せず）の計時に基づいて制御装置が制御する。言い換えると、第１貯水タンク１及び第２貯水タンク５内の雨水等が全て浄化されるように、制御される。
【００２２】
なお、前述したように、オゾン発生器１９で発生させたオゾンをインジェクター１８を介して循環経路に導入しながら、雨水を第１貯水タンク１と第２貯水タンク５との間を浄化しつつ循環させるのを、極力回数を減らして行なうのは、第１貯水タンク１及び第２貯水タンク５内のオゾン濃度が高くなるのを防止するためであり、また必要最低限の電力で行なうためで、雨水等を循環経路内に循環させながら少しずつ雨水等の中にオゾンを注入するためである。
【００２３】
この場合、熱交換器２５にオゾン濃度が高くなった雨水等を散水すると、錆が発生し易くなるので、このオゾン濃度は０．１ｐｐｍ（ｐａｒｔｓ  ｐｅｒ  ｍｉｌｌｉｏｎ）以下となるのが望ましい。従って、オゾン濃度測定手段（図示せず）により測定された測定値が０．１ｐｐｍを越えた場合には、オゾン発生器１９で発生させたオゾンをインジェクター１８を介して循環経路に導入する動作をその動作中に停止させたり、その動作を行わないように制御装置が制御する。このとき、雨水等の循環はさせるが、オゾンの循環経路への導入をしないように制御してもよいし、雨水等の循環及びオゾンの循環経路への導入の両者を行なわないように制御してもよい。
【００２４】
なお、９Ａ、９Ｂは第１貯水タンク１、第２貯水タンク５の上部、即ち第３水位Ｌ３より高い位置に設けられたオーバーフロー管で、降雨により貯まり過ぎを防止するためである。また、本実施形態では、第１貯水タンク１及び第２貯水タンク５とを別体に構成したが一体化して作製してもよいし、また第１貯水タンク１と第２貯水タンク５との２つの貯水タンクとしたが、貯水タンクを１つとして、この１つの貯水タンク内の雨水等を浄化しつつ、循環させてもよい。更には、３つ以上の貯水タンクを使用してもよいが、複数の貯水タンクの場合には、これらの貯水タンクを直列に接続して、これらの貯水タンクを底部ではない下部において連通させると共に、浄化装置はこれらの貯水タンクに対して並列に接続する。
【００２５】
２０は第２貯水タンク５から取出し管２１を介して取出した浄化された水を噴射ノズル２７より空気調和装置の室外機である熱交換器２５に散水する散水装置で、塵埃を除去するフィルター２２、圧送ポンプ２３、開閉弁２４、熱交換器２５上に載置される散水制御用電装箱２８、この電装箱２８及びホース２６を介して開閉弁２４に接続される噴射ノズル２７等から構成される。散水制御用電装箱２８内には、散水制御のためのマイクロコンピュータ等の散水制御装置等が搭載されたプリント基板や水配管等が配設されている。
【００２６】
そして、散水制御装置は開閉弁２４の開閉制御を行うが、この開閉弁２４が閉じると圧送ポンプ２３は高圧状態となって、圧送ポンプ２３は自身で運転を停止し、開くと低圧状態となって、自身で運転を開始することとなるものである。従って、散水制御装置が開閉弁２４の開閉制御を行うことにより、結果として圧送ポンプ２３を制御することとなるものである。
【００２７】
そして、空気調和装置の室外機である熱交換器２５に散水装置２０により散水するのを、熱交換器２５の冷媒入口又は冷媒出口の冷媒圧力が所定値以上になったこと、又は熱交換器２５の冷媒入口の冷媒温度が所定温度以上になったこと、又は熱交換器２５（冷媒管やフィン等）の温度が所定温度以上になったこと、又は空気調和装置の圧縮機の電動装置に流れる電流が所定値以上になったことを検出する検出装置を設けて、この検出装置の出力に基づいて、即ち前述したような所定値以上になったこと又は所定温度以上を検出するとタイマー（図示せず）による所定時間だけ開閉弁２４を開くように制御し、前述したように、圧送ポンプ２３を運転させて散水装置２０により熱交換器２５に散水するように制御する。
【００２８】
これにより、空気調和装置の冷凍サイクルの成績係数ＣＯＰ（ＣｏｅｆｆｉｃｉｅｎｔＯｆ Ｐｅｒｆｏｒｍａｎｃｅ）の向上や消費電力の減少を図ることができる。
【００２９】
以上のような実施形態によれば、雨水を貯水して、浄化して空気調和装置の室外機に掛けることにより、冷却効果を上げるのに、安価で室外機の腐食も極力抑えて行なうことができる。
【００３０】
また、以上の実施形態では、噴射ノズル２７から空気調和装置における室外機である熱交換器２５に第２貯水タンク５からの浄化された水を散水するようにしたが、この熱交換器２５に限らず、建築物や自動車などに散水したり、庭や樹木などへ散水してもよい。
【００３１】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００３２】
【図１】散水冷却装置の正面図である。
【図２】散水冷却装置の平面図である。
【図３】散水冷却装置の左側面図である。
【符号の説明】
【００３３】
１                第１貯水タンク
５                第２貯水タンク
８Ａ              第１検出スイッチ
８Ｂ              第２検出スイッチ
１０              水浄化装置
１６              フィルター
１７              循環ポンプ
１８              インジェクター
１９              オゾン発生器
２０              散水装置
２５              熱交換器
【図１】
2010014346.tif 000003
【図２】
2010014346.tif 000004
【図３】
2010014346.tif 000005